(57)【要約】      （修正有）【課題】ホットエアの流出量を調整可能な焼き嵌めチャック用ヒータを提供する。【解決手段】焼き嵌めチャック用ヒータは、加熱カバー５０、ブロックピース６０、及び調整可能なブロックセット７０を有する。加熱カバーは、第１の貫通孔５１と、第２の貫通孔５２と、加熱カバー内に設けられており、第１の貫通孔及び第２の貫通孔を形成する延伸方向に沿って延伸しており、ヒートガン４１と連通した加熱スペースＳとを有する。ブロックピースは、第１の貫通孔をブロックするように加熱カバーに取り外し可能に接続されており、第１の貫通孔と連通することが可能な連通孔６２を有する。調整可能なブロックセットは、加熱カバーに接続されており、２つのブレードアセンブリ７３及び切り換え部７２を有する。各ブレードアセンブリは、延伸方向に沿って環状に設けられたブレード７３１を有する。切り換え部は、回転可能であり、ブレードを互いに近付けたり遠ざけたりするように押して第２の貫通孔をブロックする。【選択図】図２
0003223083.tif 000002
【実用新案登録請求の範囲】
【請求項１】
焼き嵌めチャック用ヒータであって、
ホットエアを流出するエア排出口を有するヒートガンを有するヒートガンアセンブリと、
前記ヒートガンに接続された加熱カバーであって、
第１の貫通孔と、
第２の貫通孔と、
前記加熱カバーの内側に設けられており、前記第１の貫通孔及び前記第２の貫通孔を形成する延伸方向に沿って延伸し、前記ヒートガンの前記エア排出口と連通した加熱スペースと、
を有する加熱カバーと、
ブロックピースであって、
前記第１の貫通孔をブロックするように前記加熱カバーに取り外し可能に接続されたブロックボディと、
前記ブロックボディに貫設されており、前記第１の貫通孔と連通することが可能な連通孔と、
を有するブロックピースと、
前記加熱カバーに接続されており、前記第２の貫通孔をブロックすることが可能な２つのブレードアセンブリを有する調整可能なブロックセットであって、
前記延伸方向に沿って環状に設けられた複数のブレードと、
前記２つのブレードアセンブリ間に回転可能に設けられており、前記２つのブレードアセンブリの各ブレードアセンブリの前記複数のブレードを押して互いに近付け、または遠ざけることが可能な切り換え部と、
を有する調整可能なブロックセットと、
を備える、焼き嵌めチャック用ヒータ。
【請求項２】
請求項１に記載の焼き嵌めチャック用ヒータであって、
前記切り換え部は、
前記延伸方向に沿って環状に設けられた複数の第１のガイドピラーと、
前記延伸方向に沿って環状に設けられた複数の第２のガイドピラーと、
と有し、
前記複数の第１のガイドピラーの各第１のガイドピラーと、前記複数の第２のガイドピラーの各第２のガイドピラーとは、反対方向へ突出しており、
前記２つのブレードアセンブリの各ブレードアセンブリの複数のブレードの各ブレードは、
長尺で湾曲したガイド孔を有し、
前記２つのブレードアセンブリの一方の前記複数のブレードの前記複数のガイド孔は、それぞれ前記切り換え部の前記複数の第１のガイドピラー上に設けられており、
前記２つのブレードアセンブリの他方のブレードアセンブリの前記複数のブレードの各ブレードの前記複数のガイド孔は、それぞれ前記切り換え部の前記複数の第２のガイドピラー上に設けられている、焼き嵌めチャック用ヒータ。
【請求項３】
請求項２に記載の焼き嵌めチャック用ヒータであって、
前記２つのブレードアセンブリは角度がずれている、焼き嵌めチャック用ヒータ。
【請求項４】
請求項３に記載の焼き嵌めチャック用ヒータであって、
前記調整可能なブロックセットはハウジングを有し、
前記切り換え部及び前記２つのブレードアセンブリは前記ハウジング内に取り付けられており、
前記切り換え部は、前記ハウジングから外へ延伸した手動操作の突起を有する、焼き嵌めチャック用ヒータ。
【請求項５】
請求項４に記載の焼き嵌めチャック用ヒータであって、
前記ハウジングは、
前記延伸方向に沿って環状に設けられた複数の第１の枢動ピラーと、
前記延伸方向に沿って環状に設けられた複数の第２の枢動ピラーと、
を有し、
前記複数の第１の枢動ピラーの各第１の枢動ピラーと、前記複数の第２の枢動ピラーの各第２の枢動ピラーとは、互いに向かって突出しており、
前記２つのブレードアセンブリの各ブレードアセンブリの前記複数のブレードの各ブレードは、
枢動孔を有し、
前記２つのブレードアセンブリの一方の前記複数のブレードの前記複数の枢動孔は、それぞれ前記ハウジングの前記複数の第１の枢動ピラー上に設けられており、
前記２つのブレードアセンブリの他方のブレードアセンブリの前記複数のブレードの前記複数の枢動孔は、それぞれ前記ハウジングの前記複数の第２の枢動ピラー上に設けられている、焼き嵌めチャック用ヒータ。
【請求項６】
請求項５に記載の焼き嵌めチャック用ヒータであって、
前記２つのブレードアセンブリの各ブレードアセンブリの前記複数のブレードは２つのブレードを含み、
前記複数の第１のガイドピラーは２つの第１のガイドピラーを含み、
前記複数の第２のガイドピラーは２つの第２のガイドピラーを含み、
前記複数の第２の枢動ピラーは２つの第１の枢動ピラーを含み、
前記複数の第２の枢動ピラーは２つの第２の枢動ピラーを含む、焼き嵌めチャック用ヒータ。
【請求項７】
請求項６に記載の焼き嵌めチャック用ヒータであって、
前記加熱カバーは、
Ｕ字状の輪郭を有して前記第１の貫通孔に隣接して設けられた、ガイド溝を有し、
前記ブロックボディは前記加熱カバーに取り外し可能に接続されるように前記ガイド溝に挿入されることが可能である、焼き嵌めチャック用ヒータ。
【請求項８】
請求項１または請求項２に記載の焼き嵌めチャック用ヒータであって、
前記調整可能なブロックセットはハウジングを有し、
前記切り換え部及び前記２つのブレードアセンブリは前記ハウジング内に取り付けられており、
前記切り換え部は前記ハウジングから外へ突出した手動操作の突起を有する、焼き嵌めチャック用ヒータ。
【請求項９】
請求項１乃至請求項３のいずれか１つに記載の焼き嵌めチャック用ヒータであって、
前記加熱カバーは、
Ｕ字状の輪郭を有して前記第１の貫通孔に隣接して設けられた、ガイド溝を有し、
前記ブロックボディは前記加熱カバーに取り外し可能に接続されるように前記ガイド溝に挿入されることが可能である、焼き嵌めチャック用ヒータ。
【考案の詳細な説明】
【技術分野】
【０００１】
本考案は、チャックに対してカッタを組み付け、または取り外す装置に関し、より詳細には、ブロックユニットとホットエアの流出量を調整する調整可能なブロックセットとを備えた、焼き嵌めチャック用ヒータに関する。
【背景技術】
【０００２】
焼き嵌めチャックは、カッタを受け入れて固定するためのクランプ孔を有する。焼き嵌めチャックは、クランプ孔を拡大してカッタを受け入れるために最初に加熱されなければならない。次いで、カッタは焼き嵌めチャックのクランプ孔に挿入される。焼き嵌めチャックが冷却されると、クランプ孔は、収縮し、カッタをクランプして焼き嵌めチャックとカッタとを強固に接続することが可能である。
【０００３】
焼き嵌めチャックは、通常、誘導ヒータによって、またはヒートガンを備えたヒータによって加熱される。通常のヒータは、ヒートガン及び加熱カバーを有する。ヒートガンは、加熱カバーの内側にホットエアを排出する。加熱カバーは、上端部、下端部、及び加熱スペースを有する。加熱カバーの上端部と下端部とは、互いに対向している。加熱スペースは、加熱カバーの内側に設けられており、加熱カバーの上端部と下端部との両方に延伸している。ヒートガンによって供給されたホットエアは、加熱スペース内に誘導されて焼き嵌めチャックを加熱する。
【０００４】
しかしながら、通常のヒータの加熱カバーには、加熱カバーの上端部及び下端部をブロックするブロック部品がない。ホットエアは、加熱カバーの上端部及び下端部を介して妨げなく直接リークする。したがって、焼き嵌めチャックを加熱する効率は低い。
【０００５】
通常のヒータの加熱カバーの欠点を克服するために、本考案は、上述の問題を軽減または回避する、焼き嵌めチャック用ヒータを提供する。
【考案の概要】
【考案が解決しようとする課題】
【０００６】
本考案の主目的は、加熱カバーからリークするホットエアの流れを調整するブロックユニットを有する、焼き嵌めチャック用ヒータを提供して、安定した加熱を実現することである。
【課題を解決するための手段】
【０００７】
前記焼き嵌めチャック用ヒータは、加熱カバー、ブロックピース、及び調整可能なブロックセットを備える。前記加熱カバーは、第１の貫通孔と、第２の貫通孔と、前記加熱カバー内に設けられており、前記第１の貫通孔及び前記第２の貫通孔を形成する延伸方向に沿って延伸しており、ヒートガンと連通した加熱スペースとを有する。前記ブロックピースは、前記第１の貫通孔をブロックするように前記加熱カバーに取り外し可能に接続されており、前記第１の貫通孔と連通することが可能な連通孔を有する。前記調整可能なブロックセットは、前記加熱カバーに接続されており、２つのブレードアセンブリ及び切り換え部を有する。各ブレードアセンブリは、前記延伸方向に沿って環状に設けられたブレードを有する。前記切り換え部は、回転可能であり、前記２つのブレードアセンブリの前記ブレードを互いに近付けたり遠ざけたりするように押して前記第２の貫通孔をブロックすることが可能である。
【０００８】
本考案の他の目的、利点、及び新規な特徴は、添付の図面を併せて考慮すると、以下の詳細な説明からより明らかになるであろう。
【図面の簡単な説明】
【０００９】
【図１】図１は、本考案に係る焼き嵌めチャック用ヒータの斜視図である。
【図２】図２は、図１のヒータの部分的に拡大した分解斜視図である。
【図３】図３は、図１のヒータの詳細な分解斜視図である。
【図４】図４は、図２の調整可能なブロックセットの概略上面図である。
【図５】図５は、図２の調整可能なブロックセットの概略底面図である。
【図６】図６は、図１のヒータの概略斜視図である。
【図７】図７は、図１のヒータの他の概略斜視図である。
【図８】図８は、図１のヒータの他の斜視図である。
【考案を実施するための形態】
【００１０】
図１を参照すると、本考案に係る焼き嵌めチャック用ヒータは、基台１０、チャックマウント２０、昇降アセンブリ３０、ヒートガンアセンブリ４０、加熱カバー５０、及びブロックユニットを有する。チャックマウント２０及び昇降アセンブリ３０は、基台１０に接続されている。ヒートガンアセンブリ４０は昇降アセンブリ３０に接続されている。加熱カバー５０はヒートガンアセンブリ４０に接続されている。ブロックユニットは、ブロックピース６０及び調整可能なブロックセット７０を有する。ブロックピース６０及び調整可能なブロックセット７０は、加熱カバー５０に接続されている。
【００１１】
図１を参照すると、基台１０は、楕円形の輪郭、及び２つの対向する端部１１を有する。
【００１２】
図１を参照すると、チャックマウント２０は、直立して基台１０に接続されており、基台１０の２つの対向する端部１１の一方に隣接して設けられている。
【００１３】
図１を参照すると、昇降アセンブリ３０は、基台１０の２つの対向する端部１１の他方に隣接して設けられている。昇降アセンブリ３０は、２つのガイドシャフト３１、及び昇降マウント３２を有する。２つのガイドシャフト３１は、直立して基台１０に接続されており、互いから離間している。昇降マウント３２は、２つのガイドシャフト３１上の周囲に取り付けられており、２つのガイドシャフト３１に沿って上下動することにより、基台１０から遠ざかり、または接近することが可能である。
【００１４】
図１及び図２を参照すると、ヒートガンアセンブリ４０は、昇降マウント３２に接続されており、昇降マウント３２とともに２つのガイドシャフト３１に沿って上下動することが可能である。ヒートガンアセンブリ４０は、ヒートガン４１及び導入チューブ４２を有する。ヒートガン４１は、２つの端部及びエア排出口４１１を有する。ヒートガン４１の２つの端部は互いに対向している。エア排出口４１１は、ヒートガン４１の２つの端部の一方に設けられており、チャックマウント２０に対向する。導入チューブ４２は、ヒートガン４１の他方の端部に接続されており、エア排出口４１１と連通している。
【００１５】
図１及び図２を参照すると、加熱カバー５０はヒートガン４１に接続されている。加熱カバー５０は、加熱スペースＳ、第１の貫通孔５１、第２の貫通孔５２、及びガイド溝５３を有する。加熱スペースＳは、加熱カバー５０の内側に設けられており、第１の貫通孔５１及び第２の貫通孔５２を形成する延伸方向に沿って延伸している。ガイド溝５３は、Ｕ字状の輪郭を有し、第１の貫通孔５１に隣接して設けられている。
【００１６】
図１及び図２を参照すると、ブロックピース６０は、ブロックボディ６１と、ブロックボディ６１に貫設された連通孔６２とを有する。ブロックボディ６１は、加熱カバー５０に取り外し可能に接続されており、第１の貫通孔５１を部分的にブロックすることが可能であり、連通孔６２を第１の貫通孔５１と連通させるようになっている。本考案の実施形態において、ブロックボディ６１は、加熱カバー５０に取り外し可能に接続されるように加熱カバー５０のガイド溝５３に挿入されることが可能である。
【００１７】
図１乃至図３を参照すると、調整可能なブロックセット７０は、加熱カバー５０に接続されており、ハウジング７１、切り換え部７２、及び２つのブレードアセンブリ７３を有する。ハウジング７１は、加熱カバー５０に接続されており、２つのシェル７１１、複数の第１の枢動ピラー７１２Ａ、及び複数の第２の枢動ピラー７１２Ｂを有する。複数の第１の枢動ピラー７１２Ａは、２つのシェル７１１の一方上に形成されており、延伸方向に沿って環状に設けられている。複数の第２の枢動ピラー７１２Ｂは、２つのシェル７１１の他方のシェル７１１上に形成されており、同様に延伸方向に沿って環状に設けられている。第１のシェル７１１Ａと第２のシェル７１１Ｂとは互いに接続されてハウジング７１を形成している。そして、複数の第１の枢動ピラー７１２Ａと複数の第２の枢動ピラー７１２Ｂとは、互いに向かって突出している。複数の第１の枢動ピラー７１２Ａと複数の第２の枢動ピラー７１２Ｂとは、角度がずれている。
【００１８】
図３を参照すると、切り換え部７２はハウジング７１内に回転可能に設けられている。切り換え部７２は切り換えボディ７２１、複数の第１のガイドピラー７２３Ａ、複数の第２のガイドピラー７２３Ｂ、及び手動操作の突起７２４を有する。切り換えボディ７２１は、反対方向を向く第１の面７２１Ａ及び第２の面７２１Ｂを有する。複数の第１のガイドピラー７２３Ａは、切り換えボディ７２１の第１の面７２１Ａ上に形成されており、延伸方向に沿って環状に設けられている。複数の第２のガイドピラー７２３Ｂは、切り換えボディ７２１の第２の面７２１Ｂ上に形成されており、延伸方向に沿って環状に設けられている。複数の第１のガイドピラー７２３Ａと複数の第２のガイドピラー７２３Ｂとは、反対方向へ突出している。手動操作の突起７２４は、切り換えボディ７２１上に形成されており、ハウジング７１から外へ突出して、ユーザによる操作で切り換えボディ７２１をハウジング７１内で回転させる。
【００１９】
図２を参照すると、２つのブレードアセンブリ７３はハウジング７１内に取り付けられており、それぞれ切り換えボディ７２１の第１の面７２１Ａ、第２の面７２１Ｂに隣接して設けられている。切り換え部７２の切り換えボディ７２１は、２つのブレードアセンブリ７３間に設けられている。２つのブレードアセンブリ７３の各ブレードアセンブリ７３は、複数のブレード７３１を有する。複数のブレード７３１の各ブレード７３１は、ブレードボディ７３１０、枢動孔７３１１、及びガイド孔７３１２を有する。ブレードボディ７３１０は、湾曲しており、枢動端部及び掃引端部を有する。ブレードボディ７３１０の枢動端部と掃引端部とは互いに対向している。枢動孔７３１１は、ブレードボディ７３１０に貫設されており、ブレードボディ７３１０の枢動端部に隣接して設けられている。ガイド孔７３１２は、ブレードボディ７３１０に貫設されている。ガイド孔７３１２は湾曲しており、長尺の孔である。ガイド孔７３１２は、ブレードボディ７３１０の枢動端部から、ブレードボディ７３１０の掃引端部の方へ伸びている。
【００２０】
図３を参照すると、２つのブレードアセンブリ７３は、さらに、第１のブレードアセンブリ７３Ａと第２のブレードアセンブリ７３Ｂとに区分されている。
【００２１】
複数のブレード７３１Ａの各ブレード７３１Ａは、ブレード７３１Ａに貫設された枢動孔７３１１を介して複数の第１の枢動ピラー７１２Ａのそれぞれの第１の枢動ピラー７１２Ａ上の周囲に取り付けられており、ブレード７３１Ａに貫設されたガイド孔７３１２を介して複数の第１のガイドピラー７２３Ａのそれぞれの第１のガイドピラー７２３Ａ上に取り付けられている。切り換え部７２の手動操作の突起７２４が動作して切り換え部７２が回転すると、第１のブレードアセンブリ７３Ａの複数のブレード７３１Ａに、複数の第１のガイドピラー７２３Ａがそれぞれ当接し、第１のブレードアセンブリ７３Ａの複数のブレード７３１Ａは互いに近づき、または離れて、加熱カバー５０の第２の貫通孔５２をブロックし、または開放する。
【００２２】
複数のブレード７３１Ｂの各フレード７３１Ｂは、ブレード７３１Ｂに貫設された枢動孔７３１１を介して複数の第２の枢動ピラー７１２Ｂのそれぞれの第２の枢動ピラー７１２Ｂ上の周囲に取り付けられており、ブレード７３１Ｂに貫設されたガイド孔７３１２を介して複数の第２のガイドピラー７２３Ｂのそれぞれの第２のガイドピラー７２３Ｂ上に取り付けられている。複数の第１の枢動孔７１２Ａと複数の第２の枢動孔７１２Ｂとは角度がずれているため、第１のブレードアセンブリ７３Ａと第２のブレードアセンブリ７３Ｂとは同様に角度がずれている。
【００２３】
切り換え部７２が回転すると、第１のブレードアセンブリ７３Ａの複数のブレード７３１Ａは互いに近づき、または遠ざかり、第２のブレードアセンブリ７３Ｂの複数のブレード７３１Ｂは同時に互いに近づき、または遠ざかって、加熱カバー５０の第２の貫通孔５２をブロックし、または開放する。
【００２４】
図４を参照すると、切り換え部７２の手動操作の突起７２４が動作して切り換え部７２が時計方向に回転すると、第１のブレードアセンブリ７３Ａの複数のブレード７３１Ａに複数の第１のガイドピラー７２３Ａがそれぞれ当接し、第１のブレードアセンブリ７３Ａの複数のブレード７３１Ａは互いに接近して加熱カバー５０の第２の貫通孔５２をブロックする。
【００２５】
図５を参照し、切り換え部７２の手動操作の突起７２４が動作して切り換え部７２が反時計方向に回転すると、第２のブレードアセンブリ７３Ｂの複数のブレード７３１Ｂに複数の第２のガイドピラー７２３Ｂがそれぞれ当接し、第１のブレードアセンブリ７３Ｂの複数のブレード７３１Ｂは互いに接近して加熱カバー５０の第２の貫通孔５２をブロックする。
【００２６】
本考案の実施形態において、第１のブレードアセンブリ７３Ａの複数のブレード７３１Ａは２つのブレード７３１Ａを含み、それに応じて、ハウジング７１の複数の第１の枢動ピラー７１２Ａは２つの第１の枢動ピラー７１２Ａを含み、それに応じて、切り換え部７２の複数の第１のガイドピラー７２３Ａは２つの第１のガイドピラー７２３Ａを含む。第１のブレードアセンブリのブレード７３１Ａ、第１の枢動ピラー７１２Ａ、及び第１のガイドピラー７２３Ａの数は限定されない。
【００２７】
本考案の実施形態において、第２のブレードアセンブリ７３Ｂの複数のブレード７３１Ｂは２つのブレード７３１Ｂを含み、それに応じて、ハウジング７１の複数の第２の枢動ピラー７１２Ｂは２つの第２の枢動ピラー７１２Ｂを含み、それに応じて、切り換え部７２の複数の第２のガイドピラー７２３Ｂは２つの第２のガイドピラー７２３Ｂを含む。第２のブレードアセンブリ７３Ｂのブレード７３１Ｂ、第２の枢動ピラー７１２Ｂ、及び第２のガイドピラー７２３Ｂの数も同様に限定されない。
【００２８】
図２、図６、及び図７を参照すると、チャック８０は、加熱のためにチャックマウント２０に挿入される。ブロックピース６０のブロックボディ６１は、加熱カバー５０のガイド溝５３に挿入されて、加熱カバー５０の第１の貫通孔５１をブロックする。昇降アセンブリ３０はヒートガンアセンブリ４０、加熱カバー５０、ブロックピース６０、及び調整可能なブロックセット７０をチャック８０の方へ駆動する。加熱カバー５０はチャック８０上に取り付けられる。
【００２９】
切り換え部７２が動作して第１のブレードアセンブリ７３Ａの複数のブレード７３１Ａと第２のブレードアセンブリ７３Ｂの複数のブレード７３１Ｂとを押すと、第１のブレードアセンブリ７３Ａの複数のブレード７３１Ａと第２のブレードアセンブリ７３Ｂの複数のブレード７３１Ｂとは互いに接近して、加熱カバー５０の第２の貫通孔５２をブロックする。ヒートガンアセンブリ４０のヒートガン４１は、加熱カバー５０内にホットエアを導入してチャック８０を加熱する。
【００３０】
ブロックピース６０の連通孔６２を介してチャック８０にカッタ９０を挿入してチャック８０に接続する。
【００３１】
通常のヒータと比較すると、本考案のブロックピース６０を利用して加熱カバー５０の第１の貫通孔５１をブロックし、本考案の調整可能なブロックセット７０を利用して加熱カバー５０の第２の貫通孔５２をブロックする。ブロックピース６０及び調整可能なブロックセット７０を用いると、ヒートガン４１によって供給されるホットエアの流出量を調整して安定な加熱を実現することができる。
【００３２】
図８を参照し、ブロックピース６０は複数のブロックピース６０として実施されてもよい。そして、複数のブロックピース６０の連通孔６２は、種々のサイズ及び種類のカッタ９０に対応してサイズを変更する。ホットエアの流出量は、ブロックピース６０を交換することによって調整され得る。
【産業上の利用可能性】
【００３３】
以上の説明において、本考案の構造及び特徴の詳細とともに本考案の多くの特徴及び利点に言及したが、説明は例示であるにすぎない。本考案の原理の範囲内での詳細の変更、特に形状、サイズ、及び配置に関する変更を、添付の請求項を表現する用語の広い一般的な意味によって示される限度まで行うことができる。
【符号の説明】
【００３４】
１０  基台
２０  チャックマウント
３０  昇降アセンブリ
４０  ヒートガンアセンブリ
５０  加熱カバー
６０  ブロックピース
７０  ブロックセット
【図１】
0003223083.tif 000003
【図２】
0003223083.tif 000004
【図３】
0003223083.tif 000005
【図４】
0003223083.tif 000006
【図５】
0003223083.tif 000007
【図６】
0003223083.tif 000008
【図７】
0003223083.tif 000009
【図８】
0003223083.tif 000010